(57)【特許請求の範囲】
【請求項１】
インクを吐出して記録を行う記録ヘッドを搭載して往復移動するためのキャリッジと、
記録ヘッドの吸引、予備吐出を行う回復系と、
前記キャリッジと当接する作動レバーと、
前記作動レバーの前記キャリッジと当接する箇所と反対側に設けられたトリガー爪と、
前記トリガー爪が移動することにより回転するクラッチと、
前記クラッチの回転に応じて回転するとともに、記録ヘッドより吸引、予備吐出されたインクが堆積するインク除去ギアと、
を備えるインクジェット記録装置であって、
前記キャリッジが第１の方向に移動すると前記作動レバーが作動バネのバネ力に抗して第１の回転方向に回転し、前記キャリッジが前記第１の方向と反対の第２の方向に移動すると前記作動レバーが前記作動バネのバネ力により前記第１の回転方向と反対の第２の回転方向に回転することで前記トリガー爪が移動して前記インク除去ギアを回転させることにより、前記インク除去ギアに対して一定の高さだけ離間した位置に配された除去壁により前記インク除去ギアに堆積したインクを掻き取ることを特徴とするインクジェット記録装置。
【請求項２】
前記記録ヘッドは、熱エネルギによって形成されるインク液滴により画像を記録することを特徴とする請求項１に記載のインクジェット記録装置。
【請求項３】
前記インクジェット記録装置は、ファクシミリ機能と、画像をＰＣに取り込むスキャナ機能と、コピー機能と、を有することを特徴とする請求項１または２に記載のインクジェット記録装置。
【発明の詳細な説明】
【０００１】
【発明の属する技術分野】
本発明は、記録媒体上にインクを吐出し、記録を行うインクジェット記録装置に関し、詳しくは、プリンタ、複写機、ワープロ、あるいはコンピュータ等の情報処理機器に用いられるインクジェット記録装置に関する。
【０００２】
【従来の技術】
図３３は、従来例の記録部をインクジェット記録装置で構成したファクシミリ装置の断面図である。図３４は記録部の概略斜視図である。
【０００３】
図３３において、従来例のファクシミリ装置は読取部Ａと、給紙部Ｂと、記録部Ｃと、より概略構成される。１０１は装置の本体上カバー、１０２は装置の制御を行う制御基板、１０３は装置に電力を供給する電源ユニットである。１０４は装置の操作を行う操作パネル、１０５は操作パネル１０４のパネル基板である。１０７は原稿１０６を積載する原稿トレイである。
【０００４】
最初に読取部Ａについて説明する。読取部Ａにおいて、原稿１０６に光を照射して、その反射光を電気信号に変換し、この信号を操作モードに応じて他機に、または装置の記録部Ｃに、伝送するものである。
【０００５】
次に、給紙部Ｂについて説明する。記録紙１２０は、本体上カバー１２１の背面に設けてある記録紙高さ規制板１２１ａにより、記録紙トレイ１２２と図中矢印方向に引き出し可能な記録紙補助トレイ１２３とに限られた枚数が積載される。また、圧板１２５は不図示の軸を中心に回動可能に支持され、圧板バネ１２５ａにより給紙ローラ１２６方向に付勢されている。給紙ローラ１２６が図中矢印方向に回転することにより、記録紙１２０は分離され、１枚ずつ記録部Ｃへ搬送される。
【０００６】
次に、記録部Ｃについて説明する。記録部Ｃはいわゆるインクジェット式の記録方法をとる。記録部Ｃは、他機から伝送された画信号、あるいは読取部Ａから伝送された画信号に応じて、給紙部Ｂより搬送された記録紙１２０に画像を記録するものである。１２７は記録紙１２０を搬送する搬送ローラ、１２８は搬送ローラ１２７に従動して回転するピンチローラ、１２９はピンチローラ１２８を保持し、記録紙１２０をガイドするピンチローラガイドである。１３０は記録紙１２０の裏面を案内するプラテンである。記録ヘッド１３１はキャリッジ１３２に搭載され、キャリッジモータ１３４の駆動によりガイドシャフト１３３に案内されて往復移動する。そして記録ヘッド１３１より記録紙１２０にインクを吐出して記録を行う。
【０００７】
記録が終了した記録紙１２０は、排紙ローラ１３５と対向する拍車ローラ１３６とにより記録面を汚さないように排出される。
【０００８】
また、記録性能低下を防ぐために図示しない記録ヘッドの回復手段が設けられている。回復手段において、記録ヘッド１３１のノズル内のインクを吸引したり、記録ヘッド１３１より予備吐出を行う。吸引されたインクや予備吐出されたインクは廃インク吸収体に吸収される。
【０００９】
記録ヘッド１３１のインクとしては、非水系、水系いずれのものも用い得るが、特に水系のインクが好適に用いられる。水系インクは、水と水溶性有機溶剤、添加剤、および色材から基本的になる。
【００１０】
水溶性有機溶剤としては、多価アルコール類、グリコールエーテル類、含窒素溶剤類、ラクトン類、および脂肪族一価アルコール類等であるが、中でも、多価アルコール類としてはグリセリン、ジエチルグリコール、エチレングリコール、ポリエチレングリコール、チオジグリコール、1,2,6-ヘキサントリオール等が特に好適である。また、グリコールエーテルとしてはトリエチレングリコールモノメチルエーテルが好適である。また、含窒素溶剤としてはN-メチル-2-ピロリドン、1,3-ジメチル-2-イミダゾリジノンが好適である。また、ラクトン類としてはγ-ブチロラクトンが好適である。また、脂肪族一価アルコール類としてはエタノール、イソプロピルアルコール等が好適であり、これらを組み合わせて用いるのが一般的である。
【００１１】
添加剤としては、界面活性剤やpH調整剤、防カビ剤が用いられる。色材としては、水溶性染料および顔料が用い得るが、特に水溶性染料が好適で、中でも酸性染料、直接染料、塩基性染料が有力である。
【００１２】
以上のようなインクを用いた場合は、インクの主成分のアルコール系が乾燥した後は、上記油脂系材料やグリセリンやグリコール系の材料は粘性を有したまま固体へと変化する。
【００１３】
【発明が解決しようとする課題】
しかしながら、従来の記録装置においては、以下の問題点を有していた。回復手段により、記録ヘッドのノズル内のインクの吸引や、予備吐出を繰り返し行うと、廃インク吸収体の一部に粘性を有し固体状のインクが堆積する。インクの堆積が進行すると、廃インク吸収体から回復手段に到達し、回復手段が正常に動作できなくなって記録性能が低下してしまうことがある。また、堆積したインクと記録ヘッド１３１とが接触し、記録ヘッド１３１を破壊してしまうこともある。特に、低湿の環境においてはインクが乾燥しやすいため、顕著である。日本の冬の低温低湿環境や、海外の高温低湿環境において顕著である。
【００１４】
本発明は上記事情に鑑みなされたもので、記録ヘッドの吸引動作や、予備吐出により発生したインクが堆積するのを防ぎ、安定した品質で記録できるインクジェット記録装置を提供することを目的とする。
【００１５】
【課題を解決するための手段】
上記目的を達成するため、本発明のインクジェット記録装置は、インクを吐出して記録を行う記録ヘッドを搭載して往復移動するためのキャリッジと、記録ヘッドの吸引、予備吐出を行う回復系と、前記キャリッジと当接する作動レバーと、前記作動レバーの前記キャリッジと当接する箇所と反対側に設けられたトリガー爪と、前記トリガー爪が移動することにより回転するクラッチと、前記クラッチの回転に応じて回転するとともに、記録ヘッドより吸引、予備吐出されたインクが堆積するインク除去ギアと、を備えるインクジェット記録装置であって、前記キャリッジが第１の方向に移動すると前記作動レバーが作動バネの力に抗して第１の回転方向に回転し、前記キャリッジが前記第１の方向と反対の第２の方向に移動すると前記作動レバーが前記作動バネのバネ力により前記第１の回転方向と反対の第２の回転方向に回転することで前記トリガー爪が移動して前記インク除去ギアを回転させることにより、前記インク除去ギアに対して一定の高さだけ離間した位置に配された除去壁により前記インク除去ギアに堆積したインクを掻き取ることを特徴とする。
【００１６】
以上の構成によれば、記録ヘッドの吸引動作や、予備吐出により発生したインクが堆積するのを防ぎ、安定した品質で記録できるインクジェット記録装置を提供することができる。
【００１７】
【発明の実施の形態】
以下、前記手段を適用した本発明に係るインクジェット記録装置の実施の形態について図面を参照して説明する。尚、本実施の形態はインクジェット記録装置をファクシミリ装置に適用した場合について説明する。
【００１８】
＜第１の実施の形態＞
図１〜図９を用いて本発明の第１の実施の形態を説明する。図１は本発明の第１の実施の形態のファクシミリ装置の外観斜視図、図２、図３は本発明の第１の実施の形態のファクシミリ装置の断面図である。
【００１９】
ファクシミリ装置は、原稿の画像を読み取る読取部Ａと、記録部に記録媒体であるところの記録紙を給紙する給紙部Ｂと、記録紙に記録を行う記録部Ｃと、装置の操作を行う操作部Ｄと、より概略構成される。１は装置の本体上カバー、２は装置の制御を行う制御基板、３は装置に電力を供給する電源ユニットである。４は装置の操作を行う操作パネル、５は操作パネル４のパネル基板である。７は原稿６を積載する原稿トレイである。
【００２０】
最初に読取部Ａについて説明する。原稿６は原稿トレイ７と原稿台８とに積載され、幅規制板９ａ、９ｂにより幅方向のガイドが行われる。複数枚ある原稿６は、不図示のモータに駆動されて分離ローラ１０が図２の矢印方向に回転し、予備搬送板１１が分離ローラ１０側に付勢することで、摩擦片１２と分離ローラ１０とのくさび形状まで搬送される。そして原稿６は摩擦片１２により１枚ずつ捌かれ、給送ローラ１３ａが図２の矢印方向に回転し、対向する補助コロ１３ｂの付勢力を得て搬送される。原稿搬送ガイド１４は、分離ローラ１０から後述するコンタクトセンサ１５まで原稿６のガイドをする。
【００２１】
コンタクトセンサ１５の上部には、原稿のバックグランドカラーとなり、また読み取りにおける白基準となる読取基準板１６をコンタクトセンサ１５の読取幅全域にわたり覆う幅で構成している。またコンタクトセンサ１５の内部には、原稿６を照射する図示しない光源（本実施の形態ではＬＥＤ）を配置している。そしてコンタクトセンサ１５に読み取られた原稿６を、排紙ローラ１７ａが図２の矢印方向に回転し、対向する補助コロ１７ｂの付勢力を得て図２の矢印ａ方向に排出され、図１の原稿排紙トレイ１８に積載される。原稿排紙トレイ１８は回動可能な構成で、読取動作以外のときは図２のように操作パネル４を覆っている。
【００２２】
次に給紙部Ｂについて説明する。２０は記録紙で、普通紙やプラスチックシート及びその他の材質であって、インクを転写しうるものが利用される。本実施の形態では、Ｂ４サイズまたはＡ４サイズにカットされた普通紙を用いる。記録紙２０は、本体上カバー２１の背面に設けてある記録紙高さ規制板２１ａにより、記録紙トレイ２２と図２の矢印方向に引き出し可能な記録紙補助トレイ２３とに限られた枚数が積載される。また、記録紙サイドガイド２４により幅方向を規制される。また、圧板２５は不図示の軸を中心に回動可能に支持され、圧板バネ２５ａにより給紙ローラ２６方向に付勢されている。給紙ローラ２６が図２の矢印方向に回転することにより、記録紙２０は爪により分離され、１枚ずつ記録部Ｃへ搬送される。
【００２３】
次に、記録部Ｃについて説明する。記録部Ｃはいわゆるインクジェット式の記録方法をとる。記録部Ｃは、他機から伝送された画信号、あるいは読取部Ａから伝送された画信号に応じて、給紙部Ｂより搬送された記録紙２０に画像を記録するものである。２７は記録紙２０を搬送する搬送ローラ、２８は搬送ローラ２７に従動して回転するピンチローラ、２９はピンチローラ２８を保持し、記録紙２０をガイドするピンチローラガイドである。３０は記録紙２０の裏面を案内するプラテンである。記録ヘッド３１はキャリッジ３２に搭載され、不図示のモータの駆動によりガイドシャフト３３に案内されて往復移動する。記録ヘッド３１より記録紙２０にインクを吐出して記録を行う。
【００２４】
原稿台８は図３に示すように本体上カバー２１の不図示の回転中心により矢印方向に回動可能である。それにより記録ヘッド３１はキャリッジ３２と着脱可能に構成されている。
【００２５】
記録が終了した記録紙２０は、排紙ローラ３４と対向する拍車ローラ３５とにより記録面を汚さないように図２の矢印ｃ方向に排出され、排紙トレイ３６に積載される。
【００２６】
次に操作部Ｄについて説明する。操作部Ｄは、コピー操作、送信操作、スキャナ操作などを行うものである。操作パネル４にダイアルキー４ａなど各種操作に応じたキーや表示部４ｂが設けられている。また、送信、受信を行う不図示の電話回線用モジュラも装備されている。操作部Ｄは読取部Ａの原稿搬送機構の上部に設けられ、図３に示すように矢印方向に回動可能に構成されている。
【００２７】
次に、図４〜図８を用いて本発明の特徴的なインク除去機構Ｅについて説明する。図４はインク除去機構Ｅを説明するために、関連する部品のみ示した平面図である。インク除去機構Ｅは本体の右側で、不図示の回復系の下側に配置される。
【００２８】
図５〜図８はインク除去機構Ｅの動作を説明する図である。図５において、４１はインク除去フレーム、４２はキャリッジ３２と当接する作動レバー、４３は作動レバー４２を反時計回り方向に付勢する作動バネ、４４はクラッチ、４５はインク除去ギアである。図５はキャリッジ３２と作動レバー４２とが離間している状態を示す。
【００２９】
図６において、キャリッジ３２が図中矢印Ｒ方向に移動すると、キャリッジ３２と作動レバー４２とが当接し、作動レバー４２を作動バネ４３のバネ力に抗して時計回り方向に回転させる。すると、作動レバー４２のキャリッジ３２と当接する箇所と反対側に設けられたトリガー爪４２ａは図６（ａ）において矢印方向に移動する。このときクラッチ４４にはクラッチストッパ４６が噛み合っているため、クラッチ４４は回転しない。
【００３０】
図７において、キャリッジ３２が図中矢印Ｌ方向に移動すると、キャリッジ３２と作動レバー４２との当接が解除され、作動レバー４２は作動バネ４３のバネ力により反時計回り方向に回転する。すると作動レバー４２のトリガー爪４２ａは図７（ａ）において矢印方向に移動し、クラッチ４４を反時計回り方向に回転させる。それによりインク除去ギア４５は時計回り方向に回転する。
【００３１】
図８はインク除去機構Ｅを正面から見た図である。図８において、３５は記録ヘッド３１の吸引、予備吐出を行う回復系である。図８（ａ）において吸引、予備吐出で発生した廃インク３６ａが回復系３５より落下し、インク除去ギア４５の上に堆積インク３６ｂが堆積する。図８（ｂ）において、インク除去ギア４５が回転すると、堆積インク３６ｂは除去壁４７により掻き取られる。それにより堆積インク３６は一定以上の高さには堆積しない。インクは急激に固体化しないため、回復動作と同期してインク除去機構Ｅを作動させることにより、効果的にインクを除去することができる。
【００３２】
次に、本発明の第１の実施の形態のファクシミリ装置の制御系の構成を図９に基づいて説明する。
【００３３】
ファクシミリ装置の制御系は、該ファクシミリ装置を制御する制御部２ａと、装置全体に電力を供給する電源ユニット３と、モデム基板ユニット２ａ１と、電話機を接続する通信基板ユニット２ｃと、操作部Ｄから入力した内容等を表示する表示部４ｂ等を含んで構成される。
【００３４】
上記制御部２ａは、装置全体の制御を行うＣＰＵ２ａ２と、各種プログラムや各種データ等を格納したＲＯＭ２ａ３と、前記ＣＰＵ２ａ２のワークエリアとして使用されるとともに、記録枚数等の各種データの一時保存や各種データの保管登録を行うＲＡＭ２ａ４と、入出力切換インターフェース２ａ８等を有している。
【００３５】
また、２ａ５は、画像データの各ラインのイメージを格納するラインメモリであって、原稿６の送信もしくはコピーの場合は読取部Ａからの１ライン分のイメージデータが格納され、画像データの受信の場合には複合された１ライン分のデータが格納される。そして、上記ラインメモリ２ａ５に格納された画像データは、ＣＰＵ２ａ２を通って記録部制御コードを追加して入出力切換インターフェース２ａ８から記録部ＣのＣＰＵ Ｃ１に出力され、ＣＰＵ Ｃ１が前記記録部制御コードを解読することによって画像記録が行われる。
【００３６】
さらに、２ａ６は送信する画像情報をＭＨ符号化等により符号化したり、受信した符号化画像データを複合化してイメージデータに変換する符号化／複合化部である。２ａ７は送受信された符号化画像データを格納するバッファメモリである。
【００３７】
そして、周辺コンピュータＦよりプリンタインターフェース２ａ９を介して画像データやテキストデータを記録部Ｃへと出力することができ、また、読取部Ａによって読み取った画像データを周辺コンピュータＦへと取り込むことができる。
【００３８】
以上説明した構成によれば、記録ヘッドの吸引動作や、予備吐出により発生したインクが堆積するのを防ぎ、安定した品質で記録できるインクジェット記録装置を提供できる。
【００３９】
＜第１参考例＞
図１０〜図１３を用いて第１参考例を説明する。図１０は第１参考例のファクシミリ装置の外観斜視図、図１１〜図１３はインク除去機構の動作を説明する図である。
【００４０】
図１０において、５０は使用者が記録紙の厚みに応じて、記録ヘッドと記録紙との距離（以下、紙間と呼ぶ）を薄紙ポジションと厚紙ポジションとに切り替える紙間選択レバーである。図１０に示した状態は薄紙ポジションで、紙間選択レバー５０を下側に倒すことで厚紙ポジションになる。
【００４１】
図１１において、紙間選択レバー５０は薄紙ポジションにある。紙間選択レバー５０のレバー当接部５０ｂと作動レバー４２とは離間している。５０ａは本体フレームと嵌合する円形状の嵌合部である。ガイドシャフト３３を受ける軸受部は、嵌合部５０ａに対して偏心している。そのため、紙間選択レバー５０を回転させることによりガイドシャフト３３は上下に移動し、紙間を変更することができる。
【００４２】
図１２（ｂ）において、紙間選択レバー５０を図中矢印Ｇ方向に回転させ、薄紙ポジションから厚紙ポジションに切り替えると、紙間選択レバー５０のレバー当接部５０ｂと作動レバー４２とが当接し、作動レバー４２を作動バネ４３のバネ力に抗して時計回り方向に回転させる。すると、作動レバー４２の紙間選択レバー５０と当接する箇所と反対側に設けられたトリガー爪４２ａは図１２（ａ）において矢印方向に移動する。このときクラッチ４４にはクラッチストッパ４６が噛み合っているため、クラッチ４４は回転しない。
【００４３】
図１３において、紙間選択レバー５０を図中矢印Ｈ方向に回転させ、厚紙ポジションから薄紙ポジションに切り替えると、紙間選択レバー５０のレバー当接部５０ｂと作動レバー４２との当接が解除され、作動レバー４２は作動バネ４３のバネ力により反時計回り方向に回転する。すると作動レバー４２のトリガー爪４２ａは図１３（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００４４】
以上説明した構成によれば、使用者が紙間を切り替えるために紙間選択レバーを操作することにより堆積したインクを除去でき、記録ヘッドの吸引動作や、予備吐出により発生したインクが堆積するのを防ぎ、安定した品質で記録できるインクジェット記録装置を提供できる。
【００４５】
＜第２参考例＞
図１４〜図１７を用いて第２参考例を説明する。第２参考例においては原稿台８を開くことによりインク除去機構を作動させる。図１４は第２参考例のファクシミリ装置の断面図、図１５〜図１７はインク除去機構の動作を説明する図である。
【００４６】
図１４において、原稿台８には作動レバー４２と当接するレバー当接部８ａが設けられている。
【００４７】
図１５は原稿台８が閉じた状態を示す。作動レバー４２は、作動バネ４３のバネ力により原稿台８のレバー当接部８ａに当接している。
【００４８】
図１６（ｂ）において、原稿台８を開く、すなわち図中矢印Ｊ方向に移動させると、原稿台８のレバー当接部８ａにより作動レバー４２を作動バネ４３のバネ力に抗して時計回り方向に回転させる。すると、作動レバー４２の原稿台８と当接する箇所と反対側に設けられたトリガー爪４２ａは図１６（ａ）において矢印方向に移動する。このときクラッチ４４にはクラッチストッパ４６が噛み合っているため、クラッチ４４は回転しない。
【００４９】
図１７において、原稿台８をさらに開くと、原稿台８と作動レバー４２との当接は解除される。作動レバー４２は作動バネ４３のバネ力により反時計回り方向に回転する。すると作動レバー４２のトリガー爪４２ａは図１７（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００５０】
以上説明した構成によれば、使用者が記録ヘッドをキャリッジに着脱するためにカバー部材である原稿台を開くことにより堆積したインクを除去でき、記録ヘッドの吸引動作や、予備吐出により発生したインクが堆積するのを防ぎ、安定した品質で記録できるインクジェット記録装置を提供できる。
【００５１】
＜第３参考例＞
図１８〜図２０を用いて第３参考例を説明する。第３参考例においては記録ヘッド３１をキャリッジ３２に着脱する操作レバーを操作することによりインク除去機構を作動させる。
【００５２】
図１８は記録ヘッド３１がキャリッジ３２に装着されている状態を示す。６０は記録ヘッド３１をキャリッジ３２に着脱する操作レバーである。操作レバー６０には作動レバー４２と当接するレバー当接部６０ａが設けられている。図１８において、操作レバー６０のレバー当接部６０ａと作動レバー４２とは離間している。
【００５３】
図１９（ｂ）において、記録ヘッド３１をキャリッジ３２から取り外すために操作レバー６０を図中矢印Ｋ方向に回転させると、操作レバー６０のレバー当接部６０ａと作動レバー４２とが当接し、作動レバー４２を作動バネ４３のバネ力に抗して時計回り方向に回転させる。すると、作動レバー４２の操作レバー６０と当接する箇所と反対側に設けられたトリガー爪４２ａは図１９（ａ）において矢印方向に移動する。このときクラッチ４４にはクラッチストッパ４６が噛み合っているため、クラッチ４４は回転しない。
【００５４】
図２０において、記録ヘッド３１をキャリッジ３２に装着するために操作レバー６０を図中矢印Ｍ方向に回転させると、操作レバー６０のレバー当接部６０ａと作動レバー４２との当接が解除され、作動レバー４２は作動バネ４３のバネ力により反時計回り方向に回転する。すると作動レバー４２のトリガー爪４２ａは図２０（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００５５】
以上説明した構成によれば、使用者が記録ヘッドをキャリッジに着脱するために操作レバーを操作することにより堆積したインクを除去でき、記録ヘッドの吸引動作や、予備吐出により発生したインクが堆積するのを防ぎ、安定した品質で記録できるインクジェット記録装置を提供できる。
【００５６】
＜第４参考例＞
図２１〜図２４を用いて第４参考例を説明する。第４参考例においては操作パネルを開くことによりインク除去機構を作動させる。図２１は第４参考例のファクシミリ装置の断面図、図２２〜図２４はインク除去機構の動作を説明する図である。
【００５７】
図２１において、操作パネル４には作動レバー４２と当接するレバー当接部４ｃが設けられている。
【００５８】
図２２は操作パネル４が閉じた状態を示す。作動レバー４２は、作動バネ４３のバネ力により操作パネル４のレバー作動部４ｃと当接している。
【００５９】
図２３（ｂ）において、操作パネル４を開く、すなわち図中矢印Ｎ方向に移動させると、操作パネル４のレバー当接部４ｃにより作動レバー４２を作動バネ４３のバネ力に抗して時計回り方向に回転させる。すると、作動レバー４２の操作パネル４と当接する箇所と反対側に設けられたトリガー爪４２ａは図２３（ａ）において矢印方向に移動する。このときクラッチ４４にはクラッチストッパ４６が噛み合っているため、クラッチ４４は回転しない。
【００６０】
図２４において、操作パネル４をさらに開くと、操作パネル４と作動レバー４２との当接は解除される。作動レバー４２は作動バネ４３のバネ力により反時計回り方向に回転する。すると作動レバー４２のトリガー爪４２ａは図２４（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００６１】
以上説明した構成によれば、使用者が操作パネルを開くことにより堆積したインクを除去でき、記録ヘッドの吸引動作や、予備吐出により発生したインクが堆積するのを防ぎ、安定した品質で記録できるインクジェット記録装置を提供できる。
【００６２】
＜第５参考例＞
図２５〜図２７を用いて第５参考例を説明する。第５参考例においては排紙トレイ３６を操作することによりインク除去機構を作動させる。
【００６３】
図２５は排紙トレイ３６が収納された状態を示す。排紙トレイ３６には作動レバー４２と当接するレバー当接部３６ａが設けられている。排紙トレイ３６のレバー当接部３６ａと作動レバー４２とは離間している。
【００６４】
図２６（ｂ）において、排紙トレイ３６を図中矢印Ｐ方向に引き出すと、排紙トレイ３６のレバー当接部３６ａと作動レバー４２とが当接し、作動レバー４２を作動バネ４３のバネ力に抗して時計回り方向に回転させる。すると、作動レバー４２のトリガー爪４２ａは図２６（ａ）において矢印方向に移動する。このときクラッチ４４にはクラッチストッパ４６が噛み合っているため、クラッチ４４は回転しない。
【００６５】
図２７において、排紙トレイ３６を図中矢印Ｑ方向に収納すると、排紙トレイ３６のレバー当接部３６ａと作動レバー４２との当接が解除され、作動レバー４２は作動バネ４３のバネ力により反時計回り方向に回転する。すると作動レバー４２のトリガー爪４２ａは図２７（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００６６】
以上説明した構成によれば、使用者が排紙トレイを操作することにより堆積したインクを除去でき、記録ヘッドの吸引動作や、予備吐出により発生したインクが堆積するのを防ぎ、安定した品質で記録できるインクジェット記録装置を提供できる。
【００６７】
＜第６参考例＞
図２８〜図３２を用いて第６参考例を説明する。第６参考例においては原稿排紙トレイ１８を開くことによりインク除去機構を作動させる。図２８は第６参考例のファクシミリ装置の外観斜視図、図２９は第６参考例のファクシミリ装置の断面図、図３０〜図３２はインク除去機構の動作を説明する図である。
【００６８】
図２８、図２９において、原稿排紙トレイ１８には作動レバー４２と当接するレバー当接部１８ａが設けられている。
【００６９】
図３０は原稿排紙トレイ１８が収納された状態を示す。作動レバー４２は作動バネ４３のバネ力により、原稿排紙トレイ１８のレバー当接部１８ａと当接している。
【００７０】
図３１（ｂ）において、原稿排紙トレイ１８を開く、すなわち図中矢印Ｒ方向に移動させると、原稿排紙トレイ１８のレバー当接部１８ａにより作動レバー４２を作動バネ４３のバネ力に抗して時計回り方向に回転させる。すると、作動レバー４２のトリガー爪４２ａは図３１（ａ）において矢印方向に移動する。このときクラッチ４４にはクラッチストッパ４６が噛み合っているため、クラッチ４４は回転しない。
【００７１】
図３２において、原稿排紙トレイ１８をさらに開くと、原稿排紙トレイ１８と作動レバー４２との当接は解除される。作動レバー４２は作動バネ４３のバネ力により反時計回り方向に回転する。すると作動レバー４２のトリガー爪４２ａは図３２（ａ）において矢印方向に移動し、クラッチ４４を反時計回り方向に回転させる。それによりインク除去ギア４５は時計回り方向に回転する。よってインク除去ギア４５に堆積した堆積インクを除去壁４７により掻き取ることができる。
【００７２】
以上説明した構成によれば、使用者が原稿排紙トレイを開くことにより堆積したインクを除去でき、記録ヘッドの吸引動作や、予備吐出により発生したインクが堆積するのを防ぎ、安定した品質で記録できるインクジェット記録装置を提供できる。
【００７３】
＜その他＞
なお、本発明は、特にインクジェット記録方式の中でも、インク吐出を行わせるために利用されるエネルギとして熱エネルギを発生する手段（例えば電気熱変換体やレーザ光等）を備え、前記熱エネルギによりインクの状態変化を生起させる方式の記録ヘッド、記録装置において優れた効果をもたらすものである。かかる方式によれば記録の高密度化、高精細化が達成できるからである。
【００７４】
その代表的な構成や原理については、例えば、米国特許第４７２３１２９号明細書、同第４７４０７９６号明細書に開示されている基本的な原理を用いて行うものが好ましい。この方式は所謂オンデマンド型、コンティニュアス型のいずれにも適用可能であるが、特に、オンデマンド型の場合には、液体（インクまたは処理液）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一で対応した液体（インクまたは処理液）内の気泡を形成できるので有効である。この気泡の成長、収縮により吐出用開口を介して液体（インクまたは処理液）を吐出させて、少なくとも１つの滴を形成する。この駆動信号をパルス形状とすると、即時適切に気泡の成長収縮が行われるので、特に応答性に優れた液体（インクまたは処理液）の吐出が達成でき、より好ましい。このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００７５】
記録ヘッドの構成としては、上述の各明細書に開示されているような吐出口、液路、電気熱変換体の組合せ構成（直線状液流路または直角液流路）の他に熱作用部が屈曲する領域に配置されている構成を開示する米国特許第４５５８３３３号明細書、同第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力液を吸収する開孔を吐出部に対応させる構成を開示する特開昭５９−１３８４６１号公報に基いた構成としても本発明の効果は有効である。すなわち、記録ヘッドの形態がどのようなものであっても、本発明によれば記録を確実に効率よく行うことができるようになるからである。
【００７６】
加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
【００７７】
また、本発明の記録装置の構成として、記録ヘッドの吐出回復手段、予備的な補助手段等を付加することは本発明の効果を一層安定できるので、好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組合せを用いて加熱を行う予備加熱手段、記録とは別の吐出を行う予備吐出手段を挙げることができる。
【００７８】
また、搭載される記録ヘッドの種類ないし個数についても、例えば単色のインクに対応して１個のみが設けられたものの他、記録色や濃度を異にする複数のインクに対応して複数個数設けられるものがあってもよい。すなわち、例えば記録装置の記録モードとしては黒色等の主流色のみの記録モードだけではなく、記録ヘッドを一体的に構成するか複数個の組み合わせによるかいずれでもよいが、異なる色の複色カラー、または混色によるフルカラーの各記録モードの少なくとも一つを備えた装置にも本発明には極めて有効である。
【００７９】
さらに加えて、以上説明した本発明実施の形態においては、インクを液体として説明しているが、室温やそれ以下で固化するインクであって、室温で軟化もしくは液化するものを用いてもよく、あるいはインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものを用いてもよい。加えて、熱エネルギによる昇温を、インクの固形状態から液体状態への状態変化のエネルギとして使用せしめることで積極的に防止するため、またはインクの蒸発を防止するため、放置状態で固化し加熱によって液化するインクを用いてもよい。いずれにしても熱エネルギの記録信号に応じた付与によってインクが液化し、液状インクが吐出されるものや、記録媒体に到達する時点ではすでに固化し始めるもの等のような、熱エネルギの付与によって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状又は固形物として保持された状態で、電気熱変換体に対して対向するような形態としてもよい。本発明においては、上述した各インクに対して最も有効なものは、上述した膜沸騰方式を実行するものである。
【００８０】
さらに加えて、本発明インクジェット記録装置の形態としては、コンピュータ等の情報処理機器の画像出力端末として用いられるものの他、リーダ等と組合せた複写装置、さらには送受信機能を有するファクシミリ装置の形態を採るもの等であってもよい。
【００８１】
【発明の効果】
以上の説明から明らかなように、上記のように構成された本発明によれば、記録以外に吐出する廃インクが堆積するのを防ぐインク除去手段を設けたため、記録ヘッドの吸引動作や、予備吐出により発生したインクが堆積するのを防ぎ、安定した品質で記録できるインクジェット記録装置を提供することができる。
【図面の簡単な説明】
【図１】  本発明の第１の実施の形態のファクシミリ装置の外観斜視図である。
【図２】  本発明の第１の実施の形態のファクシミリ装置の断面図である。
【図３】  本発明の第１の実施の形態のファクシミリ装置の断面図である。
【図４】  本発明の第１の実施の形態のインク除去機構を説明するための平面図である。
【図５】  本発明の第１の実施の形態のインク除去機構の動作を説明する図である。
【図６】  本発明の第１の実施の形態のインク除去機構の動作を説明する図である。
【図７】  本発明の第１の実施の形態のインク除去機構の動作を説明する図である。
【図８】  本発明の第１の実施の形態のインク除去機構の動作を説明する図である。
【図９】  本発明の第１の実施の形態のファクシミリ装置の制御系の構成を説明するブロック図である。
【図１０】  第１参考例のファクシミリ装置の外観斜視図である。
【図１１】  第１参考例のインク除去機構の動作を説明する図である。
【図１２】  第１参考例のインク除去機構の動作を説明する図である。
【図１３】  第１参考例のインク除去機構の動作を説明する図である。
【図１４】  第２参考例のファクシミリ装置の断面図である。
【図１５】  第２参考例のインク除去機構の動作を説明する図である。
【図１６】  第２参考例のインク除去機構の動作を説明する図である。
【図１７】  第２参考例のインク除去機構の動作を説明する図である。
【図１８】  第３参考例のインク除去機構の動作を説明する図である。
【図１９】  第３参考例のインク除去機構の動作を説明する図である。
【図２０】  第３参考例のインク除去機構の動作を説明する図である。
【図２１】  第４参考例のファクシミリ装置の断面図である。
【図２２】  第４参考例のインク除去機構の動作を説明する図である。
【図２３】  第４参考例のインク除去機構の動作を説明する図である。
【図２４】  第４参考例のインク除去機構の動作を説明する図である。
【図２５】  第５参考例のインク除去機構の動作を説明する図である。
【図２６】  第５参考例のインク除去機構の動作を説明する図である。
【図２７】  第５参考例のインク除去機構の動作を説明する図である。
【図２８】  第６参考例のファクシミリ装置の外観斜視図である。
【図２９】  第６参考例のファクシミリ装置の断面図である。
【図３０】  第６参考例のインク除去機構の動作を説明する図である。
【図３１】  第６参考例のインク除去機構の動作を説明する図である。
【図３２】  第６参考例のインク除去機構の動作を説明する図である。
【図３３】  従来例のファクシミリ装置の断面図である。
【図３４】  従来例のファクシミリ装置の記録部の概略斜視図である。
【符号の説明】
１  本体フレーム
２  制御基板
３  電源ユニット
４  操作パネル
５  パネル基板
６  原稿
７  原稿トレイ
８  原稿台
９  幅規制板
３１  記録ヘッド
３２  キャリッジ
３３  ガイドシャフト
４１  インク除去フレーム
４２  作動レバー
４３  作動バネ
４４  クラッチ
４５  インク除去ギア
４６  クラッチストッパ
４７  除去壁
【図１】
0004011825.tif 000002
【図２】
0004011825.tif 000003
【図３】
0004011825.tif 000004
【図４】
0004011825.tif 000005
【図５】
0004011825.tif 000006
【図６】
0004011825.tif 000007
【図７】
0004011825.tif 000008
【図８】
0004011825.tif 000009
【図９】
0004011825.tif 000010
【図１０】
0004011825.tif 000011
【図１１】
0004011825.tif 000012
【図１２】
0004011825.tif 000013
【図１３】
0004011825.tif 000014
【図１４】
0004011825.tif 000015
【図１５】
0004011825.tif 000016
【図１６】
0004011825.tif 000017
【図１７】
0004011825.tif 000018
【図１８】
0004011825.tif 000019
【図１９】
0004011825.tif 000020
【図２０】
0004011825.tif 000021
【図２１】
0004011825.tif 000022
【図２２】
0004011825.tif 000023
【図２３】
0004011825.tif 000024
【図２４】
0004011825.tif 000025
【図２５】
0004011825.tif 000026
【図２６】
0004011825.tif 000027
【図２７】
0004011825.tif 000028
【図２８】
0004011825.tif 000029
【図２９】
0004011825.tif 000030
【図３０】
0004011825.tif 000031
【図３１】
0004011825.tif 000032
【図３２】
0004011825.tif 000033
【図３３】
0004011825.tif 000034
【図３４】
0004011825.tif 000035